(57)【要約】      （修正有）【課題】簡単に靴の靴ベルトの連結及び連結解除を行える靴ベルト用バックルを提供する。【解決手段】靴ベルト用バックル１０は第１バックル１２と第２バックル１４を有している。第１バックル１２には第１バックル第１ベルト挿通部１６を設けた第１バックル第１傾斜部１２Ａと第１バックル第２ベルト挿通部１８を設けた第１バックル第２傾斜部１２Ｂが形成されている。第１バックル１２の第１バックル中間部には第１バックル係止ピン２０と第１バックル係止片挿入孔と第１バックル係止片が形成されると共にＮ極磁石が設けられている。第２バックル１４には第２バックルベルト固定挿通部を設けた第２バックル傾斜部が形成されている。第２バックル１４の第２バックル中間部には第２バックル係止片挿入孔と第２バックル係止片が形成されると共にＳ極磁石が設けられている。【選択図】図１
0003167558.tif 000002
【実用新案登録請求の範囲】
【請求項１】
靴の第１ベルトに取り付けられる第１バックルと、靴の第２ベルトに取り付けられる第２バックルと、を有してなる靴ベルト用バックルであって、前記第１バックルに形成された第１バックル係止片挿入孔と、前記第１バックルの内側面に突設された第１バックル挿入片と、前記第２バックルに形成されると共に前記第１バックル係止片が挿入可能な第２バックル係止片挿入孔と、前記第２バックルの内側面に突設されると共に前記第１バックル係止片挿入孔に挿入可能な第２バックル挿入片と、前記第１バックルの内側面又は前記第２バックルの内側面の少なくとも一方に設けられた磁石と、を有してなることを特徴とする靴ベルト用バックル。
【請求項２】
靴の第１ベルトに取り付けられる第１バックルと、靴の第２ベルトに取り付けられる第２バックルと、を有してなる靴ベルト用バックルであって、前記第１バックルに形成された第１バックル係止片挿入孔と、前記第１バックルの内側面に突設された第１バックル挿入片と、この第１バックル挿入片の先端部に形成されると共に前記第２バックルに係止可能な第１フック部と、前記第２バックルに形成されると共に前記第１バックル挿入片が挿入可能な第２バックル係止片挿入孔と、前記第２バックルの内側面に突設されると共に前記第１バックル係止片挿入孔に挿入可能な第２バックル係止片と、この第２バックル係止片の先端部に形成されると共に前記第１バックルに係止可能な第２フック部と、前記第１バックルの内側面又は前記第２バックルの内側面の少なくとも一方に設けられた磁石と、を有してなることを特徴とする靴ベルト用バックル。
【請求項３】
靴の第１ベルトに取り付けられる第１バックルと、靴の第２ベルトに取り付けられる第２バックルと、を有してなる靴ベルト用バックルであって、前記第１バックルの一端部に形成された第１バックル第１ベルト挿通部と、前記第１バックルの他端部に形成された第１バックル第２ベルト挿通部と、前記第１バックルの第１バックル中間部の外側面に突設された第１バックル係止ピンと、前記第１バックル中間部に形成された第１バックル係止片挿入孔と、前記第１バックル中間部の内側面に突設された第１バックル係止片と、前記第２バックルに形成された第２バックルベルト固定挿通部と、前記第２バックルの第２バックル中間部に形成されると共に前記第１バックル係止片が挿入可能な第２バックル係止片挿入孔と、前記第２バックル中間部の内側面に突設されると共に前記第１バックル係止片挿入孔に挿入可能な第２バックル係止片と、前記第１バックル中間部の内側面又は前記第２バックル中間部の内側面の少なくとも一方に設けられた磁石と、を有してなることを特徴とする靴ベルト用バックル。
【請求項４】
靴の第１ベルトに取り付けられる第１バックルと、靴の第２ベルトに取り付けられる第２バックルと、を有してなる靴ベルト用バックルであって、前記第１バックルの一端部に形成された第１バックル第１ベルト挿通部と、前記第１バックルの他端部に形成された第１バックル第２ベルト挿通部と、前記第１バックルの第１バックル中間部の外側面に突設された第１バックル係止ピンと、前記第１バックル中間部に形成された第１バックル係止片挿入孔と、前記第１バックル中間部の内側面に突設された第１バックル係止片と、この第１バックル係止片の先端部に形成されると共に前記第２バックルに係止可能な第１フック部と、前記第２バックルに形成された第２バックルベルト固定挿通部と、前記第２バックルの第２バックル中間部に形成されると共に前記第１バックル係止片が挿入可能な第２バックル係止片挿入孔と、前記第２バックル中間部の内側面に突設されると共に前記第１バックル係止片挿入孔に挿入可能な第２バックル係止片と、この第２バックル係止片の先端部に形成されると共に前記第１バックルに係止可能な第２フック部と、前記第１バックル中間部の内側面又は前記第２バックル中間部の内側面の少なくとも一方に設けられた磁石と、を有してなることを特徴とする靴ベルト用バックル。
【請求項５】
靴の第１ベルトに取り付けられる第１バックルと、靴の第２ベルトに取り付けられる第２バックルと、を有してなる靴ベルト用バックルであって、前記第１バックルの一端部に形成された第１バックル第１傾斜部と、この第１バックル第１傾斜部に形成された第１バックル第１ベルト挿通部と、前記第１バックルの他端部に形成された第１バックル第２傾斜部と、この第１バックル第２傾斜部に形成された第１バックル第２ベルト挿通部と、前記第１バックルの第１バックル中間部の外側面に突設された第１バックル係止ピンと、前記第１バックル中間部に形成された第１バックル係止片挿入孔と、前記第１バックル中間部の内側面に突設された第１バックル係止片と、前記第２バックルの他端部に形成された第２バックル傾斜部と、この第２バックル傾斜部に形成された第２バックルベルト固定挿通部と、前記第２バックルの第２バックル中間部に形成されると共に前記第１バックル係止片が挿入可能な第２バックル係止片挿入孔と、前記第２バックル中間部の内側面に突設されると共に前記第１バックル係止片挿入孔に挿入可能な第２バックル係止片と、前記第１バックル中間部の内側面又は前記第２バックル中間部の内側面の少なくとも一方に設けられた磁石と、を有してなることを特徴とする靴ベルト用バックル。
【請求項６】
靴の第１ベルトに取り付けられる第１バックルと、靴の第２ベルトに取り付けられる第２バックルと、を有してなる靴ベルト用バックルであって、前記第１バックルの一端部に形成された第１バックル第１傾斜部と、この第１バックル第１傾斜部に形成された第１バックル第１ベルト挿通部と、前記第１バックルの他端部に形成された第１バックル第２傾斜部と、この第１バックル第２傾斜部に形成された第１バックル第２ベルト挿通部と、前記第１バックルの第１バックル中間部の外側面に突設された第１バックル係止ピンと、前記第１バックル中間部に形成された第１バックル係止片挿入孔と、前記第１バックル中間部の内側面に突設された第１バックル係止片と、この第１バックル係止片の先端部に形成されると共に前記第２バックルに係止可能な第１フック部と、前記第２バックルの他端部に形成された第２バックル傾斜部と、この第２バックル傾斜部に形成された第２バックルベルト固定挿通部と、前記第２バックルの第２バックル中間部に形成されると共に前記第１バックル係止片が挿入可能な第２バックル係止片挿入孔と、前記第２バックル中間部の内側面に突設されると共に前記第１バックル係止片挿入孔に挿入可能な第２バックル係止片と、この第２バックル係止片の先端部に形成されると共に前記第１バックルに係止可能な第２フック部と、前記第１バックル中間部の内側面又は前記第２バックル中間部の内側面の少なくとも一方に設けられた磁石と、を有してなることを特徴とする靴ベルト用バックル。
【考案の詳細な説明】
【技術分野】
【０００１】
本考案は、主にハイヒール等の靴に設けられた靴ベルトに取り付けられて前記靴ベルトを連結する場合に使用される靴ベルト用バックルに関する。
【背景技術】
【０００２】
女性用のハイヒールの中にはハイヒールを履いた場合にハイヒールが不用意に脱げないように足を締め付ける第１靴ベルトと第２靴ベルトを設けたタイプのものがある。
この第１靴ベルトにはバックルを構成する第１バックルが取り付けられ、第２靴ベルトにはバックルを構成する第２バックルが取り付けられている。
前記第１ベルトと第２ベルトを連結する場合は第１バックルに形成された雄ホックと第２バックルに形成された雌ホックを嵌合することにより第１ベルトと第２ベルトが連結し、前記第１ベルトと第２ベルトの連結を解除する場合は雄ホックと雌ホックの嵌合を解除することにより第１ベルトと第２ベルトの連結を解除できるようになっている（特許文献１）。
しかし、前記バックルは第１ベルトと第２ベルトを連結する場合は第１バックルの雄ホックと第２バックルの雌ホックを正確に対応させてから強い力で雄ホックと雌ホック押し付けて嵌合する必要があり、第１ベルトと第２ベルトの連結を解除する場合は強い力で雄ホックと雌ホックを引き離す必要がある。
このため、前記バックルが設けられた第１靴ベルトと第２靴ベルトの連結作業及び連結解除作業は煩雑で手間がかかると共に力の弱い年配者等にとっては前記連結作業、連結解除作業が行い難いという不具合がある。
また、ハイヒールを履いて立った状態で身体を屈めて前記第１ベルトと第２ベルトの連結作業及び連結解除作業を行う場合は身体が不安定な状態になるため前記第１ベルトと第２ベルトの連結作業及び連結解除作業がより行い難くなる。
【先行技術文献】
【特許文献】
【０００３】
【特許文献１】実開平６−５５４０７公報
【考案の概要】
【考案が解決しようとする課題】
【０００４】
本考案は、上記事実に鑑みなされたものであり、簡単かつ迅速に靴の靴ベルトの連結作業及び連結解除作業を行うことができる靴ベルト用バックルを提供するものである。
【課題を解決するための手段】
【０００５】
請求項１の考案は、靴の第１ベルトに取り付けられる第１バックルと、靴の第２ベルトに取り付けられる第２バックルと、を有してなる靴ベルト用バックルであって、前記第１バックルに形成された第１バックル係止片挿入孔と、前記第１バックルの内側面に突設された第１バックル挿入片と、前記第２バックルに形成されると共に前記第１バックル係止片が挿入可能な第２バックル係止片挿入孔と、前記第２バックルの内側面に突設されると共に前記第１バックル係止片挿入孔に挿入可能な第２バックル挿入片と、前記第１バックルの内側面又は前記第２バックルの内側面の少なくとも一方に設けられた磁石と、を有してなることを特徴としている。
請求項２の考案は、靴の第１ベルトに取り付けられる第１バックルと、靴の第２ベルトに取り付けられる第２バックルと、を有してなる靴ベルト用バックルであって、前記第１バックルに形成された第１バックル係止片挿入孔と、前記第１バックルの内側面に突設された第１バックル挿入片と、この第１バックル挿入片の先端部に形成されると共に前記第２バックルに係止可能な第１フック部と、前記第２バックルに形成されると共に前記第１バックル挿入片が挿入可能な第２バックル係止片挿入孔と、前記第２バックルの内側面に突設されると共に前記第１バックル係止片挿入孔に挿入可能な第２バックル係止片と、この第２バックル係止片の先端部に形成されると共に前記第１バックルに係止可能な第２フック部と、前記第１バックルの内側面又は前記第２バックルの内側面の少なくとも一方に設けられた磁石と、を有してなることを特徴としている。
請求項３の考案は、靴の第１ベルトに取り付けられる第１バックルと、靴の第２ベルトに取り付けられる第２バックルと、を有してなる靴ベルト用バックルであって、前記第１バックルの一端部に形成された第１バックル第１ベルト挿通部と、前記第１バックルの他端部に形成された第１バックル第２ベルト挿通部と、前記第１バックルの第１バックル中間部の外側面に突設された第１バックル係止ピンと、前記第１バックル中間部に形成された第１バックル係止片挿入孔と、前記第１バックル中間部の内側面に突設された第１バックル係止片と、前記第２バックルに形成された第２バックルベルト固定挿通部と、前記第２バックルの第２バックル中間部に形成されると共に前記第１バックル係止片が挿入可能な第２バックル係止片挿入孔と、前記第２バックル中間部の内側面に突設されると共に前記第１バックル係止片挿入孔に挿入可能な第２バックル係止片と、前記第１バックル中間部の内側面又は前記第２バックル中間部の内側面の少なくとも一方に設けられた磁石と、を有してなることを特徴としている。
請求項４の考案は、靴の第１ベルトに取り付けられる第１バックルと、靴の第２ベルトに取り付けられる第２バックルと、を有してなる靴ベルト用バックルであって、前記第１バックルの一端部に形成された第１バックル第１ベルト挿通部と、前記第１バックルの他端部に形成された第１バックル第２ベルト挿通部と、前記第１バックルの第１バックル中間部の外側面に突設された第１バックル係止ピンと、前記第１バックル中間部に形成された第１バックル係止片挿入孔と、前記第１バックル中間部の内側面に突設された第１バックル係止片と、この第１バックル係止片の先端部に形成されると共に前記第２バックルに係止可能な第１フック部と、前記第２バックルに形成された第２バックルベルト固定挿通部と、前記第２バックルの第２バックル中間部に形成されると共に前記第１バックル係止片が挿入可能な第２バックル係止片挿入孔と、前記第２バックル中間部の内側面に突設されると共に前記第１バックル係止片挿入孔に挿入可能な第２バックル係止片と、この第２バックル係止片の先端部に形成されると共に前記第１バックルに係止可能な第２フック部と、前記第１バックル中間部の内側面又は前記第２バックル中間部の内側面の少なくとも一方に設けられた磁石と、を有してなることを特徴としている。
請求項５の考案は、靴の第１ベルトに取り付けられる第１バックルと、靴の第２ベルトに取り付けられる第２バックルと、を有してなる靴ベルト用バックルであって、前記第１バックルの一端部に形成された第１バックル第１傾斜部と、この第１バックル第１傾斜部に形成された第１バックル第１ベルト挿通部と、前記第１バックルの他端部に形成された第１バックル第２傾斜部と、この第１バックル第２傾斜部に形成された第１バックル第２ベルト挿通部と、前記第１バックルの第１バックル中間部の外側面に突設された第１バックル係止ピンと、前記第１バックル中間部に形成された第１バックル係止片挿入孔と、前記第１バックル中間部の内側面に突設された第１バックル係止片と、前記第２バックルの他端部に形成された第２バックル傾斜部と、この第２バックル傾斜部に形成された第２バックルベルト固定挿通部と、前記第２バックルの第２バックル中間部に形成されると共に前記第１バックル係止片が挿入可能な第２バックル係止片挿入孔と、前記第２バックル中間部の内側面に突設されると共に前記第１バックル係止片挿入孔に挿入可能な第２バックル係止片と、前記第１バックル中間部の内側面又は前記第２バックル中間部の内側面の少なくとも一方に設けられた磁石と、を有してなることを特徴としている。
請求項６の考案は、靴の第１ベルトに取り付けられる第１バックルと、靴の第２ベルトに取り付けられる第２バックルと、を有してなる靴ベルト用バックルであって、前記第１バックルの一端部に形成された第１バックル第１傾斜部と、この第１バックル第１傾斜部に形成された第１バックル第１ベルト挿通部と、前記第１バックルの他端部に形成された第１バックル第２傾斜部と、この第１バックル第２傾斜部に形成された第１バックル第２ベルト挿通部と、前記第１バックルの第１バックル中間部の外側面に突設された第１バックル係止ピンと、前記第１バックル中間部に形成された第１バックル係止片挿入孔と、前記第１バックル中間部の内側面に突設された第１バックル係止片と、この第１バックル係止片の先端部に形成されると共に前記第２バックルに係止可能な第１フック部と、前記第２バックルの他端部に形成された第２バックル傾斜部と、この第２バックル傾斜部に形成された第２バックルベルト固定挿通部と、前記第２バックルの第２バックル中間部に形成されると共に前記第１バックル係止片が挿入可能な第２バックル係止片挿入孔と、前記第２バックル中間部の内側面に突設されると共に前記第１バックル係止片挿入孔に挿入可能な第２バックル係止片と、この第２バックル係止片の先端部に形成されると共に前記第１バックルに係止可能な第２フック部と、前記第１バックル中間部の内側面又は前記第２バックル中間部の内側面の少なくとも一方に設けられた磁石と、を有してなることを特徴としている。
【考案の効果】
【０００６】
本考案の靴ベルト用バックルは、簡単かつ迅速に靴ベルトを連結したり連結を解除したりすることができるという優れた効果を有する。
本考案の靴ベルト用バックルは、強い力で靴ベルトを連結したり連結を解除したりする必要がないので力の弱い者でも簡単に靴ベルトを連結したり連結を解除することができるという優れた効果を有する。
本考案の靴ベルト用バックルは、靴を履いて立って身体を屈めた不安定な状態でも靴ベルトの連結作業、連結解除作業を迅速に行うことができるという優れた効果を有する。
【図面の簡単な説明】
【０００７】
【図１】第１実施例の靴ベルト用バックルの使用状態を示す全体斜視図である。
【図２】第１実施例の靴ベルト用バックルの第１バックル側から見た斜視図である。
【図３】第１実施例の靴ベルト用バックルの第２バックル側から見た斜視図である。
【図４】第１実施例の靴ベルト用バックルの密着状態の縦断面図である。
【図５】第２実施例の靴ベルト用バックルの第１バックル側から見た斜視図である。
【図６】第２実施例の靴ベルト用バックルの密着状態の縦断面図である。
【考案を実施するための形態】
【０００８】
考案を実施するために最良の形態の例として以下のような実施例を示す。
【実施例１】
【０００９】
図１乃至図４には本考案に係る靴ベルト用バックルの第１実施例が示されている。なお、図１に示されるように、この実施例では靴ベルト用バックル１０を婦人用のハイヒール１に取り付けた場合を例にして説明する。
前記靴ベルト用バックル１０は金属製の第１バックル１２と第２バックル１４とから構成されている。
この第１バックル１２はハイヒール１に設けられた短い第１靴ベルト２の中間部に着脱可能に取り付けられ、第２バックル１４はハイヒール１に設けられた長い第２靴ベルト３の先端部に固定されている。
図２に示されるように、前記第１バックル１２の一端部には第１バックル１２の外側方向に向かって傾斜した第１バックル第１傾斜部１２Ａが形成されている。この第１バックル第１傾斜部１２Ａには第１バックル第１ベルト挿通部１６が貫通形成されている。この第１バックル第１ベルト挿通部１６には前記第１靴ベルト２の中間部が挿通されるようになっている（図１参照）。
また、前記第１バックル１２の他端部には第１バックル１２の外側方向に向かって傾斜した第１バックル第２傾斜部１２Ｂが形成されている。この第１バックル第２傾斜部１２Ｂには第１バックル第２ベルト挿通部１８が貫通形成されている。この第１バックル第２ベルト挿通部１８にも前記第１靴ベルト２の中間部が挿通されるようになっている（図１参照）。
前記第１バックル１２の第１バックル中間部１２Ｃの外側面１２Ｄで前記第１バックル第１傾斜部１２Ａ近傍には第１バックル係止ピン２０が突設されている。この第１バックル係止ピン２０はハイヒール１の第１靴ベルト２に複数貫通形成されたピン挿通孔２Ａに挿入できるようになっている（図１参照）。
また、第１バックル１２の第１バックル中間部１２Ｃには第１バックル係止片挿入孔２２が貫通形成されている。
図３に示されるように、前記第１バックル中間部１２Ｃの内側面１２Ｅで前記第１バックル第２傾斜部１２Ｂ近傍には第１バックル係止片２４が突設されている。
また、前記第１バックル中間部１２Ｃの内側面１２Ｅには凹状の第１バックル磁石収容部２６が形成され、第１バックル磁石収容部２６には磁石としてのＮ極磁石２８が収容されて取り付けられている。
前記第２バックル１４の一端部には第２バックルフラット部１４Ａが形成されている。
また、前記第２バックル１４の他端部には第２バックル１４の外側方向に向かって第２バックル傾斜部１４Ｂが傾斜して形成されている。この第２バックル傾斜部１４Ｂには第２バックルベルト固定挿通部３０が貫通形成されている。図１に示されるように、この第２バックルベルト固定挿通部３０には前記第２靴ベルト３の先端部が挿通して縫着や接着剤等の適宜手段で固定されている。
前記第２バックル１４の第２バックル中間部１４Ｃの第２バックル傾斜部１４Ｂ近傍には第２バックル係止片挿入孔３２が貫通形成されている。この第２バックル係止片挿入孔３２には第１バックル１２の第１バックル係止片２４が挿入可能になっている。
図２に示されるように、前記第２バックル１４の第２バックル中間部１４Ｃの内側面１４Ｄには第２バックル係止片３４が突設されている。この第２バックル係止片３４は第１バックル１２の第１バックル係止片挿入孔２２に挿入可能となっている。
前記第２バックル１４の第２バックル中間部１４Ｃの内側面１４Ｄには凹状の第２バックル磁石収容部３６が形成され、第２バックル磁石収容部３６には磁石としてのＳ極磁石３８が収容されて取り付けられている。
【００１０】
次に、第１実施例の靴ベルト用バックル１０の作用について説明する。
前記靴ベルト用バックル１０の第１バックル１２をハイヒール１の第１靴ベルト２に取り付ける場合は第１靴ベルト２の先端部を第１バックル第１ベルト挿通部１６に通した後に第１バックル第２ベルト挿通部１８に通すと共に第１バックル係止ピン２０を第１靴ベルト２のピン挿通孔２Ａに挿入する。
これにより、第１バックル１２はハイヒール１の第１靴ベルト２に取り付けられる。なお、第１靴ベルト２にはピン挿通孔２Ａが複数個形成されているので第１バックル１２の取付位置を調節して取り付けることができる。
また、前記靴ベルト用バックル１０の第２バックル１４をハイヒール１の第２靴ベルト３に取り付ける場合は締付長ベルト３の先端を第２バックル１４の第２バックルベルト固定挿通部３０に通して縫着や接着剤等で固定することにより取り付ける。
これにより、第２バックル１４はハイヒール１の第２靴ベルト３の先端部に固定状態で取り付けられる。
ハイヒール１の第１靴ベルト２と第２靴ベルト３を連結する場合は第２靴ベルト３に取り付けられている第２バックル１４を第１靴ベルト２に取り付けられている第１バックル１２に近づけると前記Ｎ極磁石２８と前記Ｓ極磁石３８の磁力により前記第１バックル１２と第２バックル１４が接近して、第１バックル１２の第１バックル係止片２４が第２バックル１４の第２バックル係止片挿入孔３２に挿入し、第２バックル１４の第２バックル係止片３４が第１バックル１２の第１バックル係止片挿入孔２２に挿入して第１バックル１２と第２バックル１４は密着する。
また、その際に第１バックル１２の第１バックル係止片２４を第２バックル１４の第２バックル係止片挿入孔３２に挿入し、第２バックル１４の第２バックル係止片３４を第１バックル１２の第１バックル係止片挿入孔２２に挿入させることにより（図４参照）、第１バックル１２及び第２バックル１４に靴ベルト用バックル１０長手方向（図４矢印Ａ方向）の力が作用しても第１バックル１２及び第２バックル１４は靴ベルト用バックル１０長手方向にスライドしたりすることはなく、第１バックル１２と第２バックル１４の係合状態を確実に維持することができる。
従って、本考案の靴ベルト用バックル１０は靴ベルト用バックル１０の第１バックル１２又は第２バックル１４を第２バックル１４又は第１バックル１２に近づけるだけで簡単に第１バックル１２と第２バックル１４を係合させることができる。
この結果、第１靴ベルト２と第２靴ベルト３を連結させる場合は第１バックル１２又は第２バックル１４の一方を第２バックル１４又は第１バックル１２に近づけるだけの簡単な作業で行うことができる。
また、第１靴ベルト２と第２靴ベルト３の連結を解除させる場合は前記Ｎ極磁石２８と前記Ｓ極磁石３８の磁力に反して第１バックル１２又は第２バックル１４を第２バックル１４又は第１バックル１２から引き離すだけの簡単な作業で行うことができる。
従って、第１靴ベルト２と第２靴ベルト３を連結させる場合は第１バックル１２又は第２バックル１４を第２バックル１４又は第１バックル１２に近づけるだけの簡単な作業で行うことができ、第１靴ベルト２と第２靴ベルト３の連結を解除する場合は第１バックル１２又は第２バックル１４を第２バックル１４又は第１バックル１２から引き離すだけの簡単な作業で行うことができる。
また、前記靴用ベルト用バックル１０は年配者等の力の強くない者でも第１靴ベルト２と第２靴ベルト３の連結作業及び連結解除作業を簡単かつ迅速に行うことができる。
さらに、靴ベルト用バックル１０は簡単に第１靴ベルト２と第２靴ベルト３を連結したり連結を解除したりすることができるので、ハイヒール１を履いて立って身体を屈めた不安定な状態でも第１靴ベルト２と第２靴ベルト３の連結作業、連結解除作業を簡単に行うことができる。
【００１１】
図５及び図６には本考案に係る靴ベルト用バックルの第２実施例が示されている。なお、第１実施例の靴ベルト用バックル１０と同一の構成は同一の符号を用いてその説明を省略する。
図５及び図６に示されているように、第２実施例の靴ベルト用バックル４０の第１バックル係止片２４の先端部にはフック部２４Ａが鉤状に形成さ、第２バックル係止片３４の先端部にはフック部３４Ａ（図６参照）が鉤状に形成されている。
図６に示されるように、前記第１バックル１２の第２バックル中間部１２Ｃの外側面１２Ｄには段部１２Ｇが前記第１バックル係止片挿入孔２２と連続して形成され、前記第２バックル１４の第２バックル中間部１４Ｃの外側面１４Ｅには段部１４Ｆが前記第２バックル係止片挿入孔３２と連続して形成されている。
従って、第１バックル１２の第１バックル係止片２４を第２バックル１４の第２バックル係止片挿入孔３２に挿入し、第２バックル１４の第２バックル係止片３４を第１バックル１２の第１バックル係止片挿入孔２２に挿入してから第１バックル係止片２４のフック部２４Ａを段部１４Ｆに係止し、第２バックル係止片３４のフック部３４Ａを段部１２Ｇに係止することができる。
この結果、靴ベルト用バックル４０の第１バックル１２と第２バックル１４を係合している際に第１バックル１２及び第２バックル１４に靴ベルト用バックル１０長手方向（図６矢印Ａ方向）と交差方向（図６矢印Ｂ方向）の力が作用しても第１バックル１２及び第２バックル１４は第１磁石２８と第２磁石３８の吸着力だけでなく第１バックル係止片２４のフック部２４Ａと段部１４Ｆの係止及び第２バックル係止片３４のフック部３４Ａと段部１２Ｇの係止が作用するので第１バックル１２と第２バックル１４の係合状態を一段と確実に維持することができる。
なお、他の構成及び他の作用は第１実施例の靴ベルト用バックル１０の構成、作用、効果と同一であるので、その説明は省略する。
【００１２】
なお、第２実施例においては前記第１バックル中間部１２Ｃの外側面１２Ｄに段部１２Ｇを形成して第２バックル係止片３４のフック部３４Ａを係止し、前記第２バックル中間部１４Ｃの外側面１４Ｅに段部１４Ｆを形成して第１バックル係止片２４のフック部２４Ａを段部１４Ｆに係止するようにしたが、前記段部１２Ｇ及び段部１４Ｆを形成しないで直接第２バックル係止片３４のフック部３４Ａを前記第１バックル中間部１２Ｃの外側面１２Ｄに係止し前記第１バックル係止片２４のフック部２４Ａを前記第２バックル中間部１４Ｃの外側面１４Ｅに係止するようにしてもよいことは勿論である。
【００１３】
なお、実施例では前記第１バックル１２と前記第２バックル１４のそれぞれに磁石を取り付けた例を示したがこれに限定されるものでない。例えば、前記第１バックル１２又は前記第２バックル１４の一方にのみ磁石を設けてもよい。前記第１バックル１２又は前記第２バックル１４の一方にのみ磁石を設けた場合は前記第１バックル１２と前記第２バックル１４のそれぞれに磁石を設けた場合に比べ第１バックル１２と第２バックル１４の吸着力は下がるが、磁石の数を減らすことにより靴用ベルト用バックル１０の価格を抑えて提供することができる利点がある。
また、実施例では前記第１バックル係止片挿入孔２２及び前記第２バックル係止片挿入孔３２を貫通形成した場合を示したが、前記第１バックル係止片挿入孔２２及び前記第２バックル係止片挿入孔３２は必ずしも貫通形成しなくてもよいことは勿論である。
なお、実施例では靴用ベルト用バックル１０をハイヒール１に適用した場合を示したが靴用ベルト用バックル１０はハイヒール以外の靴に使用してもよいことは勿論である。
【産業上の利用可能性】
【００１４】
本考案の靴ベルト用バックルは婦人靴以外にも使用することもできる。
【符号の説明】
【００１５】
１０    靴ベルト用バックル
１２    第１バックル
１２Ａ  第１バックル第１傾斜部
１２Ｂ  第１バックル第２傾斜部
１２Ｃ  前記第１バックル中間部
１２Ｄ  外側面
１２Ｅ  内側面
１４    第２バックル
１４Ａ  第２バックルフラット部
１４Ｂ  第２バックル傾斜部
１４Ｃ  第２バックル中間部
１４Ｄ  内側面
１６    第１バックル第１ベルト挿通部
１８    第１バックル第２ベルト挿通部
２０    第１バックル係止ピン
２２    第１バックル係止片挿入孔
２４    第１バックル係止片
２６    第１バックル磁石収容部
２８    Ｎ極磁石
３０    第２バックルベルト固定挿通部
３２    第２バックル係止片挿入孔
３４    第２バックル係止片
３６    第２バックル磁石収容部
３８    Ｓ極磁石
【図１】
0003167558.tif 000003
【図２】
0003167558.tif 000004
【図３】
0003167558.tif 000005
【図４】
0003167558.tif 000006
【図５】
0003167558.tif 000007
【図６】
0003167558.tif 000008